(57)【要約】少なくとも１つのメッセージを受信するためのインターフェースおよび表示装置（１６）を有する無線装置（１）が提供される。表示装置（１６）はスイッチオン状態およびスイッチオフ状態をとることができ、無線装置（１）はメッセージインジケータ（１５）を有し、メッセージインジケータ（１５）は、表示装置（１６）の動作状態に依存せずにメッセージ到着を信号指示することによって指示する。
2004507982.tif 000002
【特許請求の範囲】
【請求項１】
少なくともメッセージを受信するためのインターフェースおよび表示装置（１６）を有する無線装置（１）であって、
表示装置は少なくとも１つのスイッチオン動作状態および少なくとも１つのスイッチオフ動作状態をとるように構成されている形式のものにおいて、
無線装置（１）はメッセージインジケータ（１５）を有しており、
メッセージの到着はメッセージインジケータ（１５）によって、表示装置（１６）の動作状態とは無関係に信号指示することによって指示されることを特徴とする無線装置。
【請求項２】
メッセージには少なくとも１つのメッセージパラメータが割り当てられており、
前記メッセージパラメータを評価するための手段が設けられており、
信号指示はメッセージパラメータの評価に依存して実行される、請求項１記載の無線装置。
【請求項３】
メッセージパラメータとして少なくとも１つの到着メッセージの数および／または少なくとも１つの到着メッセージの形式および／または少なくとも１つの到着メッセージの送信者が設けられている、請求項２記載の無線装置。
【請求項４】
メッセージインジケータ（１５）は出力信号を形成し、
前記出力信号の少なくとも１つの所定の強度および／または強度変更によって信号指示が実行される、請求項１から３までのいずれか１項記載の無線装置。
【請求項５】
少なくとも１つの強度変更の数は、該少なくとも１つの到着メッセージの倍数に相応する、請求項４記載の無線装置。
【請求項６】
出力信号は光学的信号であり、
信号指示は出力信号の所定の色および／または色変更によって実行される、請求項４または５記載の無線装置。
【請求項７】
メッセージインジケータ（１５）は発光ダイオードである、請求項４から６までのいずれか１項記載の無線装置。
【請求項８】
動作情報はメッセージインジケータ（１５）によって、別の信号指示によって指示される、請求項１記載の無線装置。
【請求項９】
動作情報は別のメッセージインジケータ（１５）によって、別の信号指示によって指示される、請求項１記載の無線装置。
【発明の詳細な説明】
【０００１】
従来の技術
たとえばＧＳＭ（ｇｒｏｕｐｅ ｓｐｅｃｉａｌｅ ｍｏｂｉｌｅ）規格に従って動作する移動無線システム等の移動無線システムでは、加入者が移動無線ネットワークでショートメッセージを送受信することができるように構成されている。このようなショートメッセージサービスの１つの例として、いわゆるＳＭＳサービス（Ｓｈｏｒｔ Ｍｅｓｓａｇｅ Ｓｅｒｖｉｃｅ）がある。この種のショートメッセージの到着は、典型的な移動無線電話機では、電話機のディスプレイに相応に表示することによって受信者に伝達される。
【０００２】
本発明の利点
これに対して、独立請求項の特徴を有する、本発明の無線装置は、たとえばショートメッセージ等のメッセージが無線装置の使用者に到着したということを、表示装置の動作状態を変更せずに無線装置使用者に伝達することができるという利点を有する。このことはとりわけ、表示装置がスイッチオフ動作状態ないしは節電動作状態にある場合に有利である。つまり、表示装置がスイッチオフ状態ないしは節電動作状態にとどまったまま、メッセージの到着を使用者に伝達することができる。このことによって、本発明による無線装置のエネルギー需要を低減することができ、バッテリー有効時間ないしは蓄電池有効時間を延長することができる。さらに本発明では、メッセージの到着を使用者に、即時に光学的に信号指示することもできる。それゆえ使用者は、たとえば無線装置の操作エレメントを操作するような動作を行う必要なく、使用者へ送信されたメッセージの到着状況、つまりメッセージが使用者のもとに存在するか否か、もしそうであれば存在するメッセージの数を伝達することができる。
【０００３】
さらに有利には、メッセージに少なくとも１つのメッセージパラメータが割り当てられており、無線装置にメッセージパラメータを評価するための手段が設けられており、信号指示はメッセージパラメータの評価に依存して行われる。このようにして、信号指示を変更することによって、とりわけ出力信号の信号強度を時間的に変更することによって、無線装置使用者にメッセージパラメータについての情報を与えることができる。
【０００４】
さらに有利には、少なくとも１つの到着メッセージの数および／または少なくとも１つの到着メッセージの形式および／または少なくとも１つの到着メッセージの送信者がメッセージパラメータとして設けられている。このことによって無線装置使用者は、メッセージパラメータに依存しての信号指示の設定に応じて、少なくとも１つの到着メッセージの数、形式および／または送信者についての情報を得ることができる。
【０００５】
さらに有利には、メッセージインジケータは出力信号を形成し、信号指示は出力信号の少なくとも１つの所定の強度または強度変更によって実行される。このようにして、信号指示によって伝達すべきメッセージパラメータ情報が簡単に使用者に伝達される。
【０００６】
さらに有利には、少なくとも１つの強度変更の数は、少なくとも１つの到着メッセージの数の倍数に相応する。それゆえ、簡単な手段によって、到着したメッセージの数ないしは存在するメッセージの数についての情報を使用者に伝達することができる。
【０００７】
さらに有利には、出力信号は光学的信号であり、出力信号の所定の色または色変更によって信号指示するように構成されている。このことによって、メッセージパラメータについての複数の情報ないしはメッセージパラメータの情報内容についての複数の情報をより確実に、つまりより簡単に識別かつ区別することができるように、使用者に伝達することができる。
【０００８】
さらに有利には、メッセージインジケータは発光ダイオードである。このことによって、本発明による情報伝達をメッセージインジケータによって使用者に簡単に、つまり低コストかつ低い製造コストで実施することができる。
【０００９】
さらに有利には、動作情報をメッセージインジケータ（１５）によって、他の信号指示形態を使用して指示することができる。このことによって、メッセージインジケータを少なくとも時間的に連続して、メッセージ到着を信号指示するための信号指示形態によっても、無線装置の動作情報を指示するための別の信号指示形態によっても使用することができる。それゆえ、一方の機能および他方の機能に対してそれぞれ１つのインジケータを本発明による無線装置に設ける必要はない。
【００１０】
さらに有利には、動作情報を他のメッセージインジケータによって他の信号指示形態を使用して指示することもできる。それゆえ、動作情報と、メッセージ状態を表す情報とを簡単に区別することができる。
【００１１】
図面
本発明の実施例は図面に示されており、以下の説明においてより詳細に説明される。
【００１２】
図１　本発明による無線装置を示している。
【００１３】
図２　移動無線ネットワークに接続された、本発明による無線装置を示している。
【００１４】
図３　到着メッセージのメッセージパラメータの評価に対する経過グラフを示している。
【００１５】
図４　メッセージパラメータの信号指示の１つの例を示している。
【００１６】
実施例の説明
ＧＳＭ移動無線ネットワーク（ｇｒｏｕｐｅ ｓｐｅｃｉａｌｅ ｍｏｂｉｌｅ）における例えばＳＭＳサービス等のショートメッセージサービスは、単純なテキストメッセージおよび１６０文字の最大テキスト長に制限されているにもかかわらず、ますます広く普及され、ますます広く受け入れられてきている。送信されるテキストメッセージが大きくなると、ＳＭＳ等のサービスではメッセージ結合を行うことができる。つまり、送信すべき大容量のテキスト全体が複数のショートメッセージに分割され、相応の専用メカニズムによって、受信者のもとで正確に結合される。
【００１７】
ＳＭＳがメッセージングのために使用する別の付加的サービスは、いわゆる統一メッセージングというプラットホームである。このプラットホームは、ファックス、Ｅメール、音声メールボックスなどを包括しており、初めは異なるこれらのサービスのデータへの一括的アクセス（大抵インターネットを介する）を提供する。ここでもＳＭＳメッセージは、新たな到着データについてのメッセージングとして重要な構成要素を形成する。それゆえ本発明は以下では、ＳＭＳないしはＳＭＳメッセージを例として説明されるが、ＳＭＳ規格によるメッセージとの使用に限定されることはない。
【００１８】
ショートメッセージサービスの利点は、メッセージが受信者に直ちに到達すること、または、移動端末機器に到達可能でないときは一時記憶され、移動端末機器に再び到達可能になると自動的に転送されるということである。このため、このサービスは、通常のテキストメッセージの伝送の他に、他のサービスの構成要素であるメッセージングのためにも使用される。ＳＭＳをメッセージングのために使用するこのような付加的サービスは音声メールボックスである。つまり、到達不可能な受信者への発話メッセージをメモリに記憶することができ、例えば留守番電話の機能を果たす。このような付加的サービスは、今日の移動無線システムの重要な構成要素であり、また将来の移動無線システムにおいても重要な構成要素となるであろう。音声メールボックスは、ネットワークプロバイダの移動無線ネットワークにおける、通常は中央のエンティティであり、固定網での使用者の電話接続における局所的な留守番電話と同様に、移動無線ネットワーク使用者への音声メッセージを記憶する手段を提供する。このことは、例えば移動無線ネットワークのサービスエリア内の受信不能が原因であるか、あるいは被呼者が移動無線電話機をスイッチオンしていないために被呼者が呼び出しの時点で到達可能でない場合に当てはまる。起呼者がメッセージを音声メールボックスに残すと、被呼者は通常ＳＭＳテキストメッセージによって、新たな音声メッセージの到着および数について伝達される。このことは、他のすべてのＳＭＳでもそうであるように、被呼者の移動無線電話機が再び移動無線ネットワークに対して到達可能になると直ちに実行される。このことに関しては、自分の移動無線ネットワークプロバイダによって十分にネットワークがカバーされる地域に被呼者が再び立ち入る第１のケース、または、被呼者が移動無線電話機を再びスイッチオンしてこれが移動無線ネットワークにログインする第２のケースが挙げられる。
【００１９】
多くの移動無線電話機では、ＳＭＳメッセージの到着は、表示装置ないしは電話機のディスプレイに相応に表示することによって被呼者に伝達される。それに対して多くの移動無線電話機では、使用者によって使用されずに所定の時間が経過すると自動的に表示装置をスイッチオフするか、ないしは節電モードへ切り替わり、無線電話機のエネルギー消費を低減してバッテリー有効時間を延長することができる。ディスプレイがスイッチオフされるのが早ければ早いほどバッテリー電力の消費が少なくなる。つまり、新たに蓄電池を充電する必要なく移動無線電話機が動作できる時間が長くなる。ディスプレイは例えば、移動無線電話機のキーを操作することによって再作動される。このことは、使用者が通常は継続して移動無線電話機を能動的に使用しないので、表示装置はほとんどの時間スイッチオフされているということを意味する。
【００２０】
従って、ディスプレイがスイッチオフされている場合、メッセージ、とりわけショートメッセージが存在するか否かを調べるために、使用者はまずディスプレイを作動しなければならない。このためには通常、移動無線電話機のキーないしは他の操作エレメントを押すかないしは操作しなければならない。メッセージの到着を使用者が音響的な信号によって認識することは、多くの場合不可能であったり困難であったりする。というのも、例えば音響的信号での信号指示は、他の人も存在する等の理由から使用者によってスイッチオフされていたり、距離または騒音が原因で使用者が無線電話機の可聴範囲外にある場合があるからである。
【００２１】
本発明では、新たに到着したメッセージを、とりわけ移動無線電話機等の無線装置に、表示装置に依存せずに表示できるように構成されている。このことによって、万が一音響的信号が知覚されなくても、メッセージが新たに到着したことを直ちに認識することができる。
【００２２】
図１には、本発明による無線装置１が概略的に示されている。無線装置１はここでは移動無線電話機、携帯電話機等として構成されており、本発明ではとりわけＧＳＭ、ＵＭＴＳ等の無線通信のための規格に従って動作する。本発明ではこの無線装置１は表示装置１６を有し、この表示装置１６はディスプレイ１６としても示されている。さらに無線装置１はメッセージインジケータ１５および操作エレメント３５を有している。この操作エレメント３５は、例えばキー等である。メッセージインジケータ１５は有利にはＬＥＤ（発光ダイオード）として構成されるので、以下ではＬＥＤ１５とも称されている。ＬＥＤ１５は本発明では、とりわけ多色ＬＥＤ１５として構成される。つまり、メッセージインジケータ１５は複数の色を表示することができる。このことによって、メッセージインジケータ１５によって使用者に伝達される信号指示の情報内容を拡大することができる。１つの実施例では、ＬＥＤ１５は例えば２色ＬＥＤ１５として構成されている。
【００２３】
以下では、操作エレメント３５を入力装置３５とも称する。本発明では、表示装置１６は種々の動作状態をとることができ、少なくともスイッチオン動作状態ないしは作動動作状態、およびスイッチオフ動作状態ないしは、動作を低下された動作状態（例えば節電モード）をとることができる。
【００２４】
図２には、移動無線ネットワーク４０に接続された無線装置１が示されている。無線装置１はエアインターフェース４５を介して移動無線ネットワーク４０に接続されている。さらに、移動無線ネットワーク４０には装置５０が無線または有線で接続されている。装置５０は、例えば音声メールボックス等の付加的サービスを移動無線ネットワーク４０において可能にする。さらに、移動無線ネットワーク４０には通信端末機器６０が、通常は無線インターフェースを介して接続されている。この無線インターフェースは詳細に図示されていない。移動無線ネットワーク４０は本発明ではとりわけ、ＧＳＭ、ＵＭＴＳ等の、無線通信のための標準規格に従って動作する。本発明では無線装置１は、メッセージパラメータを評価するための手段として評価装置２０を有しており、この評価装置２０には入力装置３５、送受信装置１０および表示装置１６が接続されている。さらに無線装置１は、例えばショートメッセージ等の情報を記憶するためにメモリ３０を有しており、このメモリ３０は送受信装置１０に接続されている。
【００２５】
ＧＳＭ互換無線装置１では、メモリ３０は通常、例えばＳＩＭ（Ｓｕｂｓｃｒｉｂｅｒ Ｉｄｅｎｔｉｆｉｃａｔｉｏｎ Ｍｏｄｕｌｅ： 加入者認証モジュール）等の認証モジュール上に設けられている。ＳＡＴ標準規格（Ｓｉｍ Ａｐｐｌｉｃａｔｉｏｎ Ｔｏｏｌｋｉｔ： ＳＩＭアプリケーション・ツールキット）を使用すると、メモリ３０および評価装置２０をＳＩＭモジュール５上にまとめることができる。この手段は図２では、破線のＳＩＭモジュール５が評価装置２０およびメモリ３０を含むことによって示されている。
【００２６】
送受信装置１０はエアインターフェース４５を介して移動無線ネットワーク４０から、例えば通信端末機器６０からのショートメッセージ、または移動無線ネットワーク４０で提供される付加的サービスからのショートメッセージ、ないしはこのような付加的サービスのために必要な装置５０からのショートメッセージを受信する。ショートメッセージは無線装置１において処理される。つまり、表示装置１６がスイッチオン動作状態にある場合はこの表示装置１６に表示され、メモリ３０に格納される。さらにメッセージは評価装置２０へ伝送され、最も簡単なケースではこの評価装置２０はメッセージの到着を登録し、メッセージインジケータ１５を介して表示ないしは信号指示する。
【００２７】
入力装置３５を介して、評価装置２０を制御するための情報を入力し、この情報を表示装置１６上に、および／またはメッセージインジケータ１５によって、例えば選択されたショートメッセージのみを表示することができるか、ないしは異なるメッセージを異なった形式で表示することができる。選択基準は、例えば送信者の電話番号、メッセージの形式、到着メッセージの数および／または、メッセージがすでに使用者に開かれたか否かという事実、すなわちメッセージがすでに使用者によって聴取されたか否かという事実である。
【００２８】
以下の実施例では、送信者電話番号を選択基準とし、これに基づいて評価装置２０が動作することを前提とする。使用者は入力装置３５を介して、評価装置２０を次のように設定する。すなわち、例えば番号「０１７２−４９９９００８」等の特定の電話番号が割り当てられた通信端末機器６０から送信されたショートメッセージの受信時には、メッセージインジケータ１５が第１の色によって信号指示を送出し、音声メールボックス内に音声メッセージが到着したことについてのメッセージングであるショートメッセージの受信時には、メッセージインジケータ１５が第２の色によって信号指示を送出する。例えば点滅させるのである。
【００２９】
例えば点滅シーケンスとして構成された信号指示は、存在するメッセージの数についての情報、または他のメッセージパラメータについての情報を伝達する。このことは次のようにすると可能になる。すなわち、例えばメッセージインジケータ１５が連続して短く３回、可能な色のうち１つの色で点滅する場合、このことは、例えば音声メールボックスとして構成された装置５０内に３つの（例えば未聴取の）メッセージが受信されたかないしは存在することに相応するようにすると可能になる。
【００３０】
本実施例を説明するため、図３にはフローチャートが示されている。第１のプログラムポイント１００ではショートメッセージが受信され、第２のプログラムポイント１１０では、このショートメッセージがとりわけメモリ３０に記憶される。第３のプログラムポイント２００では到着ショートメッセージの評価が１つまたは複数のメッセージパラメータに基づいて実行される。実施例ではメッセージパラメータとして、メッセージの送信者の電話番号が選択されている。この例では、例えば次のようなケースが考えられる。参照番号２０１が付された第１のケースは、例えば電話番号「０１７２−４９９９００８」が割り当てられた通信端末機器６０からのメッセージが受信される場合のケースである。参照番号２０４が付された第２のケースは、例えば音声メールボックス等の装置５０からのメッセージの到着に相応する。参照番号２０８が付された第３のケースには、他のすべてのシチュエーションが含まれる。第３のプログラムポイント２００において、第１のケース２０１に該当することが検出された場合、第４のプログラムポイント２１０において、ここには図示されていない第１のカウンタが増分され、新たな状態が第５のプログラムポイント２２０で、ＬＥＤ１５が第１の色で点滅することによって表示される。第３のプログラムポイント２００で、第２のケース２０４に該当すると識別された場合、第６のプログラムポイント２６０において第２のカウンタが増分され、第７のプログラムポイント２８０で新たな状態が、ＬＥＤ１５が第２の色で点滅することによって表示される。この第２のカウンタもここには図示されておらず、第２の色は例えば第１の色と異なっている。第３のプログラムポイント２００で、第３のケース２０８に該当すると識別された場合、次の動作は何も起こらない。
【００３１】
評価ユニット２０における評価は、送信者の電話番号に制限されない。この評価は、メッセージないしはショートメッセージのテキスト、メッセージの形式、存在するメッセージの数等に関連させることができる。例えば、メッセージの形式を検出するために、選択基準として、「メールボックス」または「Ｅメール」という言葉の存在または不存在が使用される。同様に、ＳＭＳヘッダのエレメント、つまりＳＭＳメッセージのヘッダ部またはＳＭＳユーザデータヘッダのエレメントを選択に使用することもできる。ここでは付加的に、ユーザ定義の特別な選択基準を設定することも意味を持つ。このような選択基準によって、特定のメッセージング、つまり特定のメッセージを識別し、特別に処理することができる。この処理は例えば、特別な信号指示がメッセージインジケータ１５によって出力されるか、または特定のメッセージが他のメッセージと異なって、とりわけメモリ３０に記憶されることによって実行される。このようにして、例えばＳＭＳを介してのＥメールの受信が、特定のヘッダエレメントを識別することによって識別される。この特定のヘッダエレメントもまた、選択基準として使用することができる。さらに、受信メッセージをこのようにして、例えば分類して格納することもできる。
【００３２】
図４には、メッセージインジケータ１５の信号指示の一例が示されている。メッセージインジケータ１５の出力信号の強度３１０がこの出力信号の時間的経過３００にプロットされており、ここでは点滅シーケンスが図示されている。この点滅シーケンスは、第１の時間間隔３２０で３回点滅することを特徴とする。１回の点滅は、メッセージインジケータ１５の出力信号の強度３１０が例えば２回変更されることによって、つまり強度３１０が例えば第１の値から第２の値に調整され、一定の待機時間の後、引き続いて再び第１の値に調整され、再び一定の待機時間の間その状態にとどまることによって出力される。この第１の時間間隔３２０は、強度３１０の第１値から強度３１０の第２値への強度変化から開始して、出力信号の強度３１０が再び第１値に調整された後のもう１つの待機時間までの時間間隔に相応する。上記点滅シーケンスを３回繰り返すことによって、つまり出力信号を６回強度変更することによって、本発明で可能であるように、３つの新たなメッセージの到着を信号指示するという実施例が提供される。この強度変更の回数は、到着メッセージの数の２倍に相応する。図４には、このような点滅シーケンスが２つ示されており、第２の時間間隔３３０が点滅シーケンスと点滅シーケンスとの間に設けられている。第２の時間間隔３３０は、点滅シーケンスが使用者によって識別可能または区別可能であるように設定されている。このために、例えばこの第２時間間隔３３０は第１時間間隔より長い。メッセージインジケータ１５による信号指示を構成する別の手段は、メッセージインジケータ１５の出力信号の強度を、図４に示されているように２進法で（つまり２つの状態しか存在しない）変更させるのではなく、２つより多い離散的な値が強度３１０に対して設けられており、かつ出力信号をこれらの離散的な値のうち１つからこれらの離散的な値のうち別の１つに強度変更することによって、使用者に到着メッセージについての情報が伝達されるように信号指示を構成することもできる。
【００３３】
本発明において１つの別の実施例では、メッセージインジケータ１５によって、メッセージ到着の状況についての情報ないしはメッセージ到着についての情報に付加して、とりわけ動作情報等の他の情報を使用者に伝達するように構成されている。ここでいう動作情報とは、ここには図示されていないバッテリーないしは蓄電池の充電状態（バッテリー状態）についての情報、移動無線ネットワーク４０が使用可能であるか否かについての情報、または、無線装置１がその時点で移動無線ネットワーク４０にログインされているか否かについての情報である。このような動作情報は、従来はとりわけ発光ダイオードによって別の信号指示を使用して使用者に伝達されていた。従来はメッセージの数、形式、送信者等に関する特性等の、メッセージの内容的特性の情報に関しては、無線装置では常に表示装置が使用されていた。しかしこのことはとりわけ、この種の無線装置の比較的高い電力消費および複雑な操作という前記の欠点に繋がる。
【００３４】
本発明では、使用者への動作情報についての別の信号指示および該使用者への内容的特性の情報、つまり例えばメッセージ到着に関する情報についての信号指示を、別々に行うことも共通して行うこともできる。別々に行うこととは、メッセージインジケータ１５およびここには図示されていない別のメッセージインジケータ（例えば２つの異なる発光ダイオード）によって実行することである。共通して行うこととは、動作情報およびメッセージ到着ステータスを信号指示するためのメッセージインジケータ１５によって両信号指示を実行することである。第２のケースでは、例えば動作状態はもっぱら第３の色によって信号指示され、他方では内容的特性の情報は第１の色および第２の色のみによって信号指示される。
【００３５】
実施例としてここでは、本発明による無線装置１は例えば、無線装置１が移動無線ネットワーク４０の規則的信号をもはや受信できないか、または良好に受信できない場合、例えば移動無線ネットワーク４０のカバレージギャップの場合に、例えばＬＥＤ１５が赤色で比較的低周波で点滅するように構成されている。この実施例において蓄電池がほぼ空になった場合、ＬＥＤ１５は高周波で、ここでも赤色で点滅するが、無線装置１が受信可能状態にあるか否かとは無関係である。無線装置１がネットワークにログインされており、かつ移動無線ネットワークの規則的信号を受信できる場合は、ＬＥＤ１５は緑色で比較的低周波で点滅する。従って、使用者はこの実施例では常に、無線装置１が受信可能状態にあるか否か、蓄電池を至急充電しなければならないか否かを識別することができる。このことは、表示装置がスイッチオンされているか、またはスイッチオフされているか、ないしは節電モードに切り替えられているかということとは無関係である。メッセージ到着を信号指示するため、本発明ではこの場合、発光ダイオードが例えば青色で点滅するように構成されている。
【００３６】
しかし、それに対して本発明では、メッセージ到着を信号指示するためにＬＥＤ１５に他の色を設けずに、無線装置１が移動無線ネットワークに接続されており、かつ十分なエネルギーリザーバを有する場合に低周波で緑色で点滅するのとは異なる点滅パターンを設けることもできる。この点滅パターンは本実施例では任意に調整される。このことによって、無線装置１が移動無線ネットワーク４０にログインされているか否かを使用者が常に識別ことができる。例えば３つの新たなメッセージが存在する場合、ＬＥＤ１５は３回、点滅サインの時間間隔で点滅する。この時間間隔は第１の間隔３２０に相応する。この時間間隔は、ネットワーク接続が正確であることを信号指示するための低周波の点滅の点滅周波数と、蓄電池の充電不足状態を信号指示するための比較的高い周波数との間で中程度の点滅周波数が調整されるように選択されている。続いてＬＥＤ１５は長いポーズをとってから、再び中程度の周波数で点滅する。長いポーズの持続時間は、ここでは少なくとも、低周波の点滅の点滅サインの時間間隔と同じくらい長くなければならない。
【図面の簡単な説明】
【図１】
本発明による無線装置１を概略的に示している。
【図２】
移動無線ネットワーク４０に接続された無線装置１を示している。
【図３】
到着メッセージのメッセージパラメータの評価に対するフローチャートを示している。
【図４】
メッセージパラメータの信号指示の１つの例を示している。
【国際公開パンフレット】
2004507982.tif 000003
2004507982.tif 000004
2004507982.tif 000005
2004507982.tif 000006
2004507982.tif 000007
2004507982.tif 000008
2004507982.tif 000009
2004507982.tif 000010
2004507982.tif 000011
2004507982.tif 000012
2004507982.tif 000013
2004507982.tif 000014
2004507982.tif 000015
2004507982.tif 000016
2004507982.tif 000017
2004507982.tif 000018
2004507982.tif 000019
2004507982.tif 000020
2004507982.tif 000021
2004507982.tif 000022
2004507982.tif 000023
2004507982.tif 000024
【手続補正書】
【提出日】平成14年12月13日(2002.12.13)
【手続補正１】
【補正対象書類名】明細書
【補正対象項目名】請求項１
【補正方法】変更
【補正の内容】
【請求項１】
少なくともメッセージを受信するためのインターフェースおよび表示装置（１６）を有する無線装置（１）であって、
表示装置は少なくとも１つのスイッチオン動作状態および少なくとも１つのスイッチオフ動作状態をとるように構成されている形式のものにおいて、
無線装置（１）はメッセージインジケータ（１５）を有しており、
メッセージの到着はメッセージインジケータ（１５）によって、表示装置（１６）の動作状態とは無関係に信号指示することによって指示され、
メッセージには少なくとも１つのメッセージパラメータが割り当てられており、
前記メッセージパラメータを評価するための手段が設けられており、
信号指示はメッセージパラメータの評価に依存して実行されることを特徴とする無線装置。
【国際調査報告】
2004507982.tif 000025
2004507982.tif 000026
2004507982.tif 000027
2004507982.tif 000028